(57)【特許請求の範囲】
【請求項１】
被抽出物を封入するフィルタ製の袋体と、該袋体の前後の面に止着される支持体からなり、前記支持体は下端部を前記袋体の前後の面に止着して上端部を引き起こせるようにした吊設片と、該吊設片の上端部から折り返し下向きに延設される係止片を備え、未使用時には上記両片を前記袋体の前後の面に添わせて偏平にたたみ、使用時には前記係止片の引き出しによって前記吊設片を引き起こし立体的に展開しながら伸長させて該係止片をカップ容器の縁に掛け止め前記袋体をカップ容器の開口部内に吊設状に支持するようにした簡易型濾過器において、
前記支持体は、前記吊設片の上端部及び或は係止片の上端部を前記袋体の上端部に近い前後の面に剥離可能に接合し、前記使用時における前記係止片の引き出しによる第１次的な引き出しによって前記袋体の前後の面を前後に引き離してその上端部に形成する開口部の封止状態を破りこれを開封せしめる一方、更なる引き出しによる第２次的な伸長操作によって前記吊設片及び或は係止片の上端部と前記袋体の前後の面との前記接合を剥離して前記吊設片の引き起こしにより前記係止片を前記カップ容器の縁に掛け止めるようにしたことを特徴とする簡易型濾過器。
【請求項２】
請求項１に記載の簡易型濾過器において、前記袋体は、前後の面の上縁部同士を接合して開口部を封止し、その一方前記支持体は、前記吊設片の上端部を上記前後の面の上縁部に臨ませ、該上端部若しくは前記係止片の上端部と前記袋体の前後の面とを前記開口部を封止する接合部の近傍において剥離可能に接合することを特徴とした簡易型濾過器。
【請求項３】
請求項１に記載の簡易型濾過器において、前記支持体は、前記吊設片の上端部を前記袋体の前後の面の上縁部に臨ませると共に、該吊設片の上端部若しくは該上端部から延設する係止片の上端部と前記袋体の前後の面とを剥離可能に接合する一方、前記袋体はその前後の面を上記支持体の接合位置に対応した位置で剥離可能に接合して袋体の開口部を封止することを特徴とした簡易型濾過器。
【請求項４】
請求項１乃至３のいずれか１項に記載の簡易型濾過器において、前記袋体は上端部に形成する開口部を前後の面の上縁部に沿って線状に接合することにより封止することを特徴とした簡易型濾過器。
【請求項５】
請求項１乃至３のいずれか１項に記載の簡易型濾過器において、前記袋体の開口部を封止する前後の面の接合面積に対して該袋体の前後の面に接合される前記支持体の吊設片若しくは係止片の上端部との接合面積を大にして両接合部の接合強度に差を設け、第１次的な引き出しにより前記開口部を開封し、第２次的な伸長操作によって前記前後の面に対する吊設片の上端部若しくは係止片の上端部との接合が剥離するようにしたことを特徴とする簡易型濾過器。
【請求項６】
請求項１に記載の簡易型濾過器において、前記袋体は前後の面の上縁部を接合して封止すると共に、該封止した上縁部に沿って前後の面を上下に切断する切り分け部を形成し、前記係止片の第１次的な引き出し操作によって前記切り分け部を破り袋体の開口部を開放することを特徴とした簡易型濾過器。
【請求項７】
請求項１に記載の簡易型濾過器において、前記袋体は、フィルタ素材の表面側を強接着性に、裏面側を弱接着性とする少なくとも２層構造のフィルタ素材によって形成し、該袋体の開口部を上記弱接着性の裏面側同士による接合とし、また前後の面に対する前記支持体の吊設片若しくは係止片の上端部との接合は前記表面側の強接着性による接合にして両接合部における接合強度に差を設けたことを特徴とする簡易型濾過器。  
【発明の詳細な説明】
【技術分野】
【０００１】
本発明は、使い捨てに係る簡易型濾過器に関する。
【背景技術】
【０００２】
使い捨てに係る簡易型の濾過器については、レギュラーコーヒーを抽出する濾過器として広く一般に普及しており、様々な形態のものが提案され、実用化されている。
この使い捨ての簡易型濾過器（以下、単に「濾過器」という。）は、基本的な構造としてフィルタ製の袋、通常は不織布やプラスチック製乃至紙製のフィルタを素材にして形成する袋体と、この袋体をコーヒーカップ等の容器に装着して支持する厚紙等のシート状素材から成形される支持体から作られている。中でも最も簡略化した濾過器は、上記袋体の表面に厚紙から打ち抜き形成した支持体を直接止着して形成したものとなっている。
【０００３】
この濾過器は、例えばコーヒー用の濾過器の場合、上記フィルタ製の袋体に予め所定量のコーヒー粉末（被抽出物）が封入され、使用する場合、先ず最初に袋体の上部を切り開いて開口させ、この状態で上記支持体を使ってコーヒーカップ等の容器の縁に掛け止めセットする。そうした後、前記開放した袋体の開口部から湯を注ぎ込んで袋の内部でコーヒー成分の抽出を行い、抽出したコーヒー液（抽出液）を袋体で濾過しながら容器に受け、飲料するものとなっている。
【０００４】
この様な簡易型の濾過器の中で、最も簡略化したものの一つに袋体を前後向き合う２面から形成して偏平な袋に作り、この前後の面にそれぞれ支持体を止着して形成したものがある。
この偏平な袋体からなる濾過器の一つは、使用に際して先ずコーヒー粉末を封入した袋体の上端部、つまり前後の面の上部を千切り取って袋を開口させるもので、この開口作業の後に前後の面に止着する支持体を前後方向に引き伸ばしてその先端に設けるそれぞれの係止片をカップ容器の縁に掛け止め、セットするようにしたものである。例えば、特許文献１や２に記載される濾過器がその一例である。
【先行技術文献】
【特許文献】
【０００５】
【特許文献１】特開２００４−２３０１４３号公報。
【特許文献２】特開２０１０−１１０３３５号公報。
【０００６】
上記特許文献１に記載の濾過器は、使用に際して先ず袋本体２の上部を千切り取って開封し、開口部８を形成して次に袋本体２の前後の矩形面２ａ，２ｂ（前後の面）に取付けた掛止部材３，３（支持体）の各係止片１２，１２を引き出し、この引き出しによって袋本体２の面部２ａ，２ｂに止着する貼着部１１，１１からアーム部５，５を引き起し、上記係止片１２，１２を前後方向に所定の長さに引き伸ばしてこれをカップ３０の縁に掛け止めることによりセットするものにしてある。
【０００７】
また、特許文献２に記載の濾過器は、前記特許文献１に記載の濾過器とその構造を略同様にするものであり、使用に際しては抽出用バッグ２（袋本体）の前後の面に止着する支持シート３（支持体）の先端部１２（係止片）を引き出し、これに伴わせて上部境界線１３，１４を折り曲げて中間部８，９を逆Ｖ字型に引き伸ばし、この引き伸ばしによって上記先端部１２をカップの縁に掛け止め、支持するようにしたものである。従って、この構造からこの濾過器は、支持シート３の引き伸ばしによって袋本体の開口部を広げ、この状態で支持して湯の注ぎ込みができるようにしたものとなっている。
【０００８】
この２つの濾過器は、いずれも袋本体の前後の面に備える支持体（掛止部材、支持シート）をその先端に設ける係止片（先端部）を引き出し、これをカップの縁に掛け止めるようにしたものであり、またこの引き伸ばしによって袋本体の開放した開口部をそのまま開放した状態に維持するようにしたものであり、簡単な構造の中でカップ容器に対する安定的なセットを可能にし、コーヒーの抽出に当って便利に使用できるものになっている。
【０００９】
しかしながら、上記既提案に係るそれぞれの濾過器は、上記した構造からこれを使用する使用者は、これを使用する際に支持体を引き伸ばす作業を通すことによって袋体が開封されるとの思い込みによって、或は先入観から袋体の開封作業は不要のものとの考えから直ちに支持体を引き伸ばしてそのままセット作業に入ってしまうことがあり、そのため袋体を開口させるために支持体を無理に引っ張って支持体そのものを千切る等して破損すると言った問題があった。
【００１０】
勿論、開口部を開放した状態にして開封作業を要しない濾過器もあるが、多くの濾過器は袋本体にコーヒー等の被抽出物を予め投入し、これの零れ出しを防ぐ上から袋本体の開口部を封止しているのが普通であり、従って、この場合には使用に当って先ず開封作業から行わなくてはならないが、上述した様に使用者は開封作業をしないまま直に支持体を引き出し、セット作業に掛かる場合がある。このとき、当然のことながら袋本体は開口部がしっかり封止されて拡張しない状態にあるため、支持体だけが引き伸ばされることになり、この結果無理な力が厚紙等によって成形された支持体に作用して結果的に破損すると言った問題が発生したのである。
【００１１】
言うまでもなく、上述した従来の支持体を引き出し、カップ容器の縁に掛け止めることによってセットできる構造の濾過器は、構造そのものが簡素であり、従って製造性にも優れ、また使用勝手の点からも便利なものではあるが、このタイプの濾過器において、更に上記支持体の引き出しに伴わせて封止される袋体の開口部が自動的に開封されれば、上記破損の問題も自動的に解消されることになり、使用者にとって更に便利なものとなる。
【００１２】
ことに、支持体の引き出しによって袋体の胴部が拡張され、また開口部が広く開放されて注湯に便利になることに加えて、封止される袋体の開口部の開封作業が同時に可能となれば、支持体を引き伸ばすと言う一つの作業によって袋体の開封作業と、カップ容器に対する装着作業が同時に行えることになるので更に便利なものとなる。
【００１３】
しかし、前記した如く各特許文献に記載の濾過器は、支持体の構造が、掛止部材３，３乃至支持シート３の係止片１２、先端部１２を引き出すと、これに伴ってアーム部５乃至中間部８，９の上端部が袋本体を残して浮き上るように延び出す構造になっているため、袋体の開口部を開封することはできないものとなっているのである。
【発明の概要】
【発明が解決しようとする課題】
【００１４】
従って、本発明は上述した事情、問題点に鑑み、これを改善すべく開発されたものである。つまり本発明は、濾過器を使用する際にこれをカップ容器にセットするため袋体の前後の面に設ける支持体を前後方向（離反方向）へ引き出す操作を利用して袋体の上部に形成する開口部の封止を破り、これを開封することができるようにした簡易型濾過器を提案しようとするものである。
更に言えば、支持体の引き伸ばし作業によるカップ容器に対するセット作業を利用して袋体上部に設けられる開口部の開封作業を同時に行えるようにし、これによって従来別々にしていた２つの作業を単一化し、これにより使用の迅速化と、安全な取り扱いが行えるようにしたコーヒー等の簡易型濾過器を提供せんとするものである。
【００１５】
前述した様に、袋体に直接支持体を止着し、使用時にこの支持体を引き出すことによってカップに対するセットを行うようにした特許文献１，２に記載の濾過器は、使用する際には支持体を引き出すことになっているが、この引き出しによって袋体の開口部を開放する構造にはなっていない。
つまり、従来の濾過器は、袋体の開口部の開放は、支持体を引き出すのとは別に予め開封作業をすることによって行っており、実際の支持体の引き出しは、開口部を開封した後に行うものにしている。従って、袋体の胴部を拡張すること、開封された開口部を拡張することは、上記支持体の引き出しの時点で可能になっているが、開口部の封止状態を破ってこれを開放し、広げることはできないのである。
【００１６】
従来のこの種の濾過器は、前記特許文献にも説明されるように、指で袋体の一部を千切り取る等して開封する方法で行われており、支持体を引き出すことによって開封することにはなっていないのである。
つまり、これらについて前記特許文献１に記載の濾過器では、掛止部材３の掛止片１２を引き出したとき、袋本体２の矩形面２ａ，２ｂの下部に貼り付く貼着部１１を基点にしてアーム部５の上端を外に開いて上記掛止片１２との間で逆Ｖ字状を作ることによって係止片１２をカップの縁に掛け止められる構造になっているが、しかし、袋本体２に直接止着する上記アーム部５は、引き出される上端が袋本体から離れてしまうことから上記掛止片１２をカップに掛け止めることはできても袋本体の上記矩形面２ａ，２ｂを引っ張ることはできず、従って、この構造では袋本体２の開口部８を強制的に開封することができないのである。
【００１７】
また、特許文献２においてもこのことは同様である。これでは支持シート３の先端部１２を引き出したとき、これに続く中間部８は袋本体（バッグ本体）に止着する逆Ｔ字形部分７の下端の下部境界線１０，１１を基点にして上端を外に開き、先端部１２を引き出す構造になっている。従って、前記特許文献１の場合と同様に、先端部１２の引き出しが開口部に直接的に作用することはなく、開口部を強制的に開封することはできないものとなっているのである。
【００１８】
本発明は、この様な実情に鑑み、袋体の前後の面に一体に止着され、備え付けられる支持体を濾過器の使用に当ってカップ容器に対するセットに備えて前後に引き出すとき、この支持体の引き出しを利用して袋体の開口部を前後開封方向に引っ張り、これによって封止された開口部を強制的に、且つ自動的に開封することができるようにしたことにある。
つまり、本発明は、濾過器の使用に当たって支持体を前後方向へ引き出す操作に連動させて、袋体の前後の面を引き離し方向に引き出すことができるようにして、これによって支持体のセット作業に併せて袋体の開口部の開封作業が行えるようにした簡易型濾過器を提供しようとするものである。
【課題を解決するための手段】
【００１９】
本発明は、上記の目的を達成するため、フィルタ製の袋体の前後の面部に止着される支持体について、下端部を袋体に止着して上向きに設けられる吊設片と、この吊設片の上端部から下向きに延設される係止片から構成して、濾過器の使用に当って上記支持体を引き出すとき、この操作に伴って引き出される吊設片、若しくはこの吊設片の引き出しによって引き出される上記係止片のいずれか、若しくは双方の上端部を、前記袋体の前後の面に剥離可能な状態に接合し、これによって使用に際して上記係止片を引き出したとき、この引き出しによって前記袋体の前後の面を直接的に引き剥がし方向に引っ張り、これによって袋体の上部に形成する開口部を封止する接合部分を破って開封し、更にはこの開封と共に、更なる上記係止片の引っ張りを利用して前記吊設片若しくは係止片の上端部と袋体の前後の面との前記接合を剥離し、これによって上記吊設片の引き起こしを可能にし、上記係止片の引き伸ばしを自由にしてカップ容器に対する当該係止片の掛け止めを行えるようにした簡易型濾過器を提供するものである。
【００２０】
更に詳述すれば、本発明は被抽出物を封入するフィルタ製の袋体と、該袋体の前後の面に止着される支持体からなり、前記支持体は下端部を前記袋体の前後の面に止着して上端部を引き起こせるようにした吊設片と、該吊設片の上端部から折り返し下向きに延設される係止片を備え、未使用時には上記両片を前記袋体の前後の面に添わせて偏平にたたみ、使用時には前記係止片の引き出しによって前記吊設片を引き起こし立体的に展開しながら伸長させて該係止片をカップ容器の縁に掛け止め前記袋体をカップ容器の開口部内に吊設状に支持するようにした簡易型濾過器において、
前記支持体は、前記吊設片の上端部及び或は係止片の上端部を前記袋体の上端部に近い前後の面に剥離可能に接合し、前記使用時における前記係止片の引き出しによる第１次的な引き出しによって前記袋体の前後の面を前後に引き離してその上端部に形成する開口部の封止状態を破りこれを開封せしめる一方、更なる引き出しによる第２次的な伸長操作によって前記吊設片及び或は係止片の上端部と前記袋体の前後の面との前記接合を剥離して前記吊設片の引き起こしにより前記係止片を前記カップ容器の縁に掛け止めるようにした簡易型濾過器を提供することにある（請求項１に記載の発明）。
【００２１】
この発明は、濾過器の使用に当って袋体を支える支持体を引き出す作業を利用して予め封止される袋体の開口部を開封するものであり、支持体を使用のため引き伸ばすと言う一つの作業によって、つまり支持体によるカップ容器に対するセット作業を通して予め封止されている袋体の開口部の開放を同時に行うようにしたものである。
【００２２】
更に言えば、本発明は支持体の引き起こされる吊設片の上端部、若しくはこの吊設片の上端部に連設される係止片の上端部を、袋体の上端部に近い前後の面に剥離可能な状態に接合して、これにより係止片が引き出されたとき、この引き出しに伴わせて袋体の前後の面を前後方向に引っ張り、この引っ張りの力を袋体の前後の面を貼り合わせる等して封止した袋体の開口部に作用させ、その引き剥がしに働くようにして開口部の上記封止状態を破って開封し、開口させるようにしたのである（第１次的引き出し）。
【００２３】
そして本発明では、上記袋体の開口部の開封のため作用した係止片の引き出しが更に続けられることによって、その力がこの係止片若しくは吊設片の上端部と袋体の前後の面とを接合する接合部に作用するようにして、この力が接合部の接合力を超えた時点で接合を剥がし、上記両片の上端部を自由にして吊設片の上端部の引き起こしと共に、係止片の引き出しを自由にして支持体を所定の長さに伸長させ、この係止片をカップ容器の縁に係合できるようにして掛け止めセットができるようにしたのである（第２次的引き出し）。
【００２４】
前記袋体については、前後の２面を向き合わせた偏平な袋状に形成し、前後の面が寄り合う上縁部を接合して予め封止した開口部を形成し、内部に濾過する所定量の被抽出物、例えばコーヒー粉末等を封入することになる。
上記開口部の封止については、封入されるコーヒー粉末等の軽量な被抽出物の零れ出しを防止できる程度の封止状態であれば足りること、また同時に、この封止は使用時の引き裂きを容易にする上から、小さな引張りによって開封できる脆弱な封止状態であれば足りる。従って、例えば接着剤や加熱接着乃至高周波溶着によって前後の面を接合し封止する場合は、前後の面を引き剥がし方向に引っ張ったとき、簡単に或は容易に剥離する程度の接合であればよい。
【００２５】
尚、この袋体の開口部の封止については、後述する様に、袋体と支持体の吊設片乃至係止片の上端部との接合状態と密接な関係があるもので、この両者の間では上記開口部の封止はこれら支持体の片と袋体の前後の面との接合より小さな接合力で封止されることが前提となる。
【００２６】
一方、上記袋体の前後の面に止着される支持体は、袋体の前後の面に対称状に止着される。この支持体は、厚紙（尚、本発明では「厚紙」と記すが、これについては紙質のものに限らず、広く所要の剛性を有した厚紙状のシート状物を含むものとする。）を素材にして偏平な状態に形成することになる。実際にはシーとを打ち抜き等の方法によって切り出し形成することになり、前記吊設片と係止片は一枚の厚紙等のシートから連続した状態で切り出し形成されることになる。
【００２７】
尚、上記係止片については、吊設片の上端部の左右から折り返すように２片を並行させて下向きに延設し、更にこの２片の下端同士を前記吊設片の下側で連続させて全体をＵ字型に形成して係止片の強度を高め、併せて上記連続部分を摘み片として支持体の引き出し操作時に利用する。  
【００２８】
この支持体は、吊設片の下端部を袋体の前後の面の中間部に接着して止め付け、この吊設片の上端部が袋体の開口部に近い位置に臨むように上向きに取り付け、またこの片の上端部から折り返すように下向きに延設される係止片の上端部が袋体の上端部に揃って臨むようにされる。
上記係止片は、支持体をカップ容器の縁に掛け止めるためのものであり、吊設片はこの係止片と袋体との間を繋いで袋体をカップ容器の開口部の内側に吊り下げ状に支持するものである。この両片は使用されるまでは厚紙から切り抜いたままの偏平な状態にして袋体の前後の面に寄り添わせることになる。
【００２９】
この様にしてなる上記支持体は、前記吊設片の下端部を袋体に止着する際、併せて上記吊設片の上端部、若しくはこれに接続する上記係止片の上端部のいずれかを、若しくは双方をこの袋体の前後の面に剥離可能な状態に止着し結合させ、この接合によって上記吊設片が係止片の引き出しによって引き出されるとき、その上端部が直ちに袋体の前後の面から離れないようにしてあり、これにより吊設片は一時的に引き起こしが阻止されるものにしてある。
【００３０】
上記袋体と支持体との接合は、使用時における係止片の引き出しに際して、最終的には引き剥がされ、係止片の上端部が袋体の表面から離れて所定の長さに伸長することになるが、前記袋体の開口部の封止が破られて開封されるまでは、この接合状態は維持されることになる。
そのため、係止片は最初の引き出し時には、前記接合によって袋体に止め付けられる上端部を基点にして、下端部を引き起こし、片の長さ分だけ袋体の表面から延び出すことになる。そして、この状態において当該係止片が更に引き出され、これによって開口部の封止が破られたとき、例えば前後の面同士の接合が剥がれたとき、開封され開口部を開放することになる（第１次的な引き出し）。
【００３１】
次に、この開口部の開放後、更に係止片が引き出されると、この開口部の開口幅が最大となり限界に達して前後の面が緊張したとき、この引き出しの力が前記袋体との接合部に集中することになることからこれを契機にして接合部が剥離し、これに伴って支持体は上記接合の拘束から解かれて所定の長さに伸長することになる（第２次的な引き出し）。  従って、この伸長によって吊設片に接続する係止片は、カップ容器の縁まで引き出され、掛け止められることになる。
【００３２】
従って、本発明によれば、濾過器の使用に当ってコーヒーカップ等の容器に対してセットする場合に、被抽出物を封入した袋体の前後の面に折り畳んだ支持体の上記係止片の先端部分を、つまり下端部分を摘んで引き出すと、係止片は袋体の前後の面に接合した上端部を基点にして起き上がり、続けて引き出されると、袋体の前後の面を前後に引き離し、更にこの引き離しが行われると、袋体は前記開口部の封止が破られ開封することになる。
【００３３】
そして更に、上記開封に続けて係止片が引き出されると、前記した様に例えば開口部の開口幅が最大になることを限界にして、開口部が緊張し、これを契機に引き出しの力が袋体の前後の面との接合部分に集中することになる結果、剥離が誘導されて支持体の折り畳み状態の拘束から解放され、これにより、係止片の引き出しと共に吊設片の上端部が起き上がって支持体の全体が伸長して、係止片のカップ容器への掛け止めによるセットができることになるのである。
【００３４】
この様なことから、本発明においては、袋体の封止された開口部を予め開封して置かなくとも、セットのため袋体の前後の支持体を前後方向に引き出す操作によって、上記開口部を開口させることができ、これに併せて、同時に支持体を引き伸ばしてカップ容器に対する装着をそのまま行うことができることから、単独の支持体の引き出し作業によって袋体の開口作業とカップ容器に対するセット作業が同時に行うことができるのである。
【００３５】
上記の如く構成される発明において、更に本発明は、前記袋体は前後の面の上縁部同士を接合して開口部を封止し、その一方前記支持体は、前記吊設片の上端部を上記前後の面の上縁部に臨ませ、該上端部若しくは前記係止片の上端部と前記袋体の前後の面とを前記開口部を封止する接合部の近傍において剥離可能に接合することを特徴とした簡易型濾過器を提供することにある（請求項２に記載の発明）。
【００３６】
この発明は、袋体の上端部に形成される開口部を封止するにおいて、袋体を形成する前後の面の上縁部同士の接合によって行う一方、この接合部に近接したところで支持体の吊設片乃至係止片の上端部を接合することによりこの両接合部分を接近させるものであり、これによって係止片の引き出しによる引張り力を袋体の開口部の封止部分に直接的に作用させられるようにして、この封止を効果的に破ることができるものとなる。
【００３７】
また本発明は、上記記載の簡易型濾過器において、前記支持体は前記吊設片の上端部を前記袋体の前後の面の上縁部に臨ませると共に、該吊設片の上端部若しくは該上端部から延設する係止片の上端部と前記袋体の前後の面とを剥離可能に接合する一方、前記袋体はその前後の面を上記支持体の接合位置に対応した位置で剥離可能に接合して袋体の開口部を封止することを特徴とした簡易型濾過器を提供することにある（請求項３に記載の発明）。
【００３８】
この発明は、支持体の吊設片乃至係止片の上端部を袋体の前後の面の上縁部に臨ませ、且つこれらをこの上縁部において接合すると共に、袋体の開口部の封止をこの接合部に合せて接合することによって、支持体の係止片の引き出しによる力を効果的に開口部の封止部分に導入し、これの引き裂きを容易にし、支持体の接合部の剥離に先立ってより確実に開封できるようにしたものである。これにより、引き出し時における支持体の負担を軽減することができる。
【００３９】
また本発明は、上記記載の簡易型濾過器において、前記袋体は上端部に形成する開口部を前後の面の上縁部に沿って線状に接合することにより封止することを特徴とした簡易型濾過器を提供することにある（請求項４に記載の発明）。
【００４０】
この発明は、袋体の前後の面を脆弱な状態に接合して開口部の封止を簡略な状態で実現したものである。これによれば、係止片の引っ張りを受けて容易に封止状態を解放することができる。
尚、この場合の上記線状の接合は、前後の面の上縁部に沿って連続したものであっても、また破線状に不連続なものにしてもよい。つまり、ここにおける封止は袋体に封入する被抽出物の零れ出しを防止できる程度の阻止力があれば充分であり、特に強固な封止状態は望まれない。
【００４１】
また、本発明は上記記載の簡易型濾過器において、前記袋体の開口部を封止する前後の面の接合面積に対して該袋体の前後の面に接合される前記支持体の吊設片若しくは係止片の上端部との接合面積を大にして両接合部の接合強度に差を設け、第１次的な引き出しにより前記開口部を開封し、第２次的な伸長操作によって前記前後の面に対する吊設片の上端部若しくは係止片の上端部との接合が剥離するようにしたことを特徴とする簡易型濾過器を提供することにある（請求項５に記載の発明）。
【００４２】
この発明は、袋体の封止部分と袋体の前後の面に接合する支持体の吊設片乃至係止片の上端部の接合部分との接合の強さをそれぞれの接合範囲に差を設けることによって確実に順番を守って剥離し、開口部の開封の後に支持体の引き伸ばしが実行されるようにしたものである。尚、この場合、接合部は１点における接合に限るものではなく、複数点に分散して接合する場合を含むものであり、それぞれは集合した面積全体同士の比較の中で決められることになる。  
【００４３】
また、本発明は上記記載の簡易型濾過器において、前記袋体は前後の面の上縁部を接合して封止すると共に、該封止した上縁部に沿って前後の面を上下に切断する切り分け部を形成し、前記係止片の第１次的な引き出し操作によって前記切り分け部を破り袋体の開口部を開放することを特徴とした簡易型濾過器を提供することにある（請求項６に記載の発明）。
【００４４】
この発明は、袋体の開口部の封止状態を切り分け部の切断によって開封するようにしたものである。袋体の開口部を前後の面の接合によって封止する一方、この封止部分を避けて前後の面の上部に面を上下に切り分ける切り分け部、例えばミシン線等の切り目線を形成して、支持体の引き出し操作によってこの切り目線を引き破り、袋体の上部を開放して開口部を開口するようにしたものである。
上記切り分け部は、ミシン線として形成することができるが、この場合において、開封を容易にするために切れ目の接続部分を狭くして係止片の引っ張り力が作用したとき容易に破断し、簡単に開口できるようにするとよい。
【００４５】
また、本発明は、上記記載の簡易型濾過器において、前記袋体は、フィルタ素材の表面側を強接着性に、裏面側を弱接着性とする少なくとも２層構造のフィルタ素材によって形成し、該袋体の開口部を上記弱接着性の裏面側同士による接合とし、また前後の面に対する前記支持体の吊設片若しくは係止片の上端部との接合は前記表面側の強接着性による接合にして両接合部における接合強度に差を設けたことを特徴とする簡易型濾過器を提供することにある（請求項７に記載の発明）。
【００４６】
この発明は、袋体の素材として例えば合成樹脂製の二層構造のフィルタを使用するもので、袋体の裏面側（内面側）に弱接着性のフィルタ層を置いてその開口部において弱接着性の層同士の接合とし、表面側においては強接着性の層と支持体の吊設片乃至係止片の上端部との接合にして、この両者間の接合の強度に差を設けるようにしたものであり、ここでは、このフィルタの素材の選択によって両接合部の接着強度の設定を図り、引っ張りによる剥離の順番を確実に、しかも容易に設定することができるものとなっている。
【発明の効果】
【００４７】
本発明濾過器は、上述の如く構成されるものであって、支持体の係止片の引き出しにより封止した袋体の開口部を開封し、更なる引き出しによって支持体の係止片と共に吊設片の引き起こしを通して支持体全体の引き伸ばしを図ることができるものであり、これによって、袋体の開封とこの袋体をカップ容器に掛け止めセットする作業が同時に行えることになり、従って、従来の濾過器において求められた袋体の開口部の開封作業を省略することができ、その使用が更に便利なものとなる。
【００４８】
そして又、本発明濾過器は、上述の如く支持体の引き出しに伴って袋体の開口部が連動して開封する構造に係ることから、前記従来の濾過器のように開封されない状態で無理に支持体が引き出されることがなくなるので、支持体が切断されるような損傷を受けることがなく、従って安全に、しかも使用不能になる等の問題もなく無駄なく使用できる利点がある。
【図面の簡単な説明】
【００４９】
【図１】本発明に係る簡易型濾過器の正面図である。
【図２】本発明に係る簡易型濾過器の斜視図である。
【図３】使用に備えて支持体を引き伸ばし、同時に袋体の開口部の封止を破って開放した状態を示した斜視図である。
【図４】濾過器の未使用状態における袋体と支持体の関係を説明する要部の拡大中央縦断側面図である。
【図５】支持体の係止片を引き出すことによって袋体の前後の面が前後方向に離反する状態を説明する要部の拡大中央縦断側面図である。
【図６】支持体の係止片の引き出しによって袋体の前後の面が引っ張りを受けて開口部を封止する接合部が剥離し、開封した状態を説明する要部の拡大中央縦断側面図である。
【図７】支持体の係止片の更なる引き出しによって係止片並びに吊設片の上端部と袋体の前後の面との接合部が剥離して吊設片が起き上り、更に伸張するのに伴い引き伸ばされた係止片が掛け止め可能となった状態を示す要部の拡大中央縦断側面図である。
【図８】簡易型濾過器をカップ容器に掛止めた使用状態を説明する斜視図である。
【図９】袋体の上縁部に形成する開口部の他の実施形態を示す要部の正面図である。
【図１０】袋体を二層構造のフィルタを素材にして形成した要部の拡大縦断側面図である。
【発明を実施するための形態】
【００５０】
図面の図１〜図８は、本発明に係る簡易型濾過器をコーヒーの濾過器として実施した一実施形態を示したものである。以下、この図面に基づき本発明を説明し、その特徴とするところを明らかにする。
図面において、符号１は本発明に係るコーヒーの濾過器である。２はこのコーヒーの濾過器１の袋体、３は使用に際して袋体２をコーヒーカップである容器４の縁に掛け止め支持する支持体である。
【００５１】
袋体２は、ここでは合成樹脂製の不織布からなるフィルタを素材にしてやや縦長の長方形状をなす偏平な袋状に形成してある。そして、この袋体の上縁部には予め閉ざされる開口部５が形成される（尚、図１，２において開口部５は未開封状態にあるので図示されない。）。
【００５２】
この袋体２について更に説明すると、成形時には上記開口部５となる上縁部分を開放した状態で成形し、この開放部分を通して予め所定量の被抽出物、ここではコーヒー粉末を投入し、その後袋体２の前後の面２ａ，２ｂの上縁部同士を接合して封止するもので、これによって開口部５は封止された状態に置かれる。尚、上記封止は、前後の面２ａ，２ｂの上縁部同士を寄り合わせ、その縁部に沿って線状に接合６することによって行っている。この接合部６によって開口部５を封止すると共に、この線状の接合によって前後の面２ａ，２ｂが引き離し方向に引かれたとき、簡単に剥離し上記開口部５が開放するようにしてある。
【００５３】
一方、前記支持体３は、所要剛性を有したやゝ厚手の板紙を素材にしてこれを切抜くことによって形成してあ、ここでは、図１に示したように略方形の板厚紙を切抜くことによって一体的に形成している。この支持体３は、吊設片７を中央に置いてこの吊設片７を囲むように係止片８を設けるようにしてあり、この両片を一体に連続した状態に形成してある。
【００５４】
上記吊設片７は、縦長にしてやや幅広の帯状に形成して、その上端部７ａの左右側部から下向きに折返すように左右並行するように係止片８，８を延設し、更にここではこの係止片８，８の下端部を繋いでＵ字型に形成し、その連結部分に摘み片９を設けるようにしている。
そして、上記吊設片７は、その下端部７ｂの左右側部から止着状態を安定化させる固定補助片１０，１０を上向きに延設して係止片８，８との間に設け、更に上端部７ａに近い両側部分に左右の挟持片１１，１１を延設している。
【００５５】
吊設片７を中心としたこれら固定補助片１０、挟持片１１は、図示するように前記Ｕ字型に形成される係止片８の内側に納められた形態で形成されるが、更にここでは上記係止片８を取り囲む形で補強片１２を同じ厚紙から切り出し形成している。
【００５６】
上記補強片１２は、吊設片７の上端部７ａと係止片８の上端部８ａの各上部に添う上片部分１２ａと、この上片部分の両端から垂下し、係止片８，８の側部に添う側片部分１２ｂ，１２ｂを有し、門形に形成してあり、それぞれの部分は本発明の濾過器の使用において袋体２が拡張されたとき前後の面２ａ，２ｂの立ち上がり状態を支えるものとなる。
【００５７】
この厚紙から切り出すことにより形成される支持体３，３は、袋体２の前後の面２ａ，２ｂに対して接面した状態で取付けられる。
この取付において、前記吊設片７は下端部７ｂを袋体２の面２ａ（又は２ｂ）に直接接着して固定し、更にこの例では固定補助片１０，１０を接着固定してこの吊設片７の固定を補強しており、この固定部分を基点にして上端部７ａを引き起こせるようにしてある。そして、この吊設片７の固定を通してその上端部７ａから一体に連設される係止片８，８を支持するようにしてある。尚、図１において、破線（イ）は上記固定のための接着範囲の境界を示したものである。
【００５８】
そして、この取付において、上記吊設片７は前後の面２ａ，２ｂに対してその中央部に位置させ、その上端部７ａが袋体２の上縁部に近接した位置に臨むようにし、この上端部７ａを前後の面２ａ，２ｂに対して剥離可能な状態に接着する。更にここでは、この接着に合せてその側部から延設する係止片８，８の上端部８ａ，８ａを同様にして剥離可能に接着し、ここに接合部１３，１４を形成するようにしている。
【００５９】
補強片１２は、上片部分１２ａを袋体の前後の面２ａ，２ｂの上縁部と吊設片７の上端部７ａとの間に残される狭い範囲に添わせ、ここに補強片１２の全体を貼り付け、一体に固定して使用に際してフィルタで作られる袋体２の腰折れを防止するようにしている。
【００６０】
尚、この実施形態では、上記補強片１２を支持体３に添わせて袋体２の前後の面２ａ，２ｂを補強するが、この補強片１２を省略することもある。この場合には、支持体２の上端部、つまり吊設片７、係止片８のそれぞれの上端部７ａ，８ａを直接袋体２の上縁部に沿った位置に臨ませ、前記接合部１３，１４をこの袋体２の上縁部、つまり開口部５が設けられる位置に近接させて設けることになる。
この近接は、後述するように係止片８を引き出したとき、この引き出しの力を上記上端部７ａ，８ａの接合部１３，１４を介して直接的に接合部６に伝達し易くするためで、開口部５の開封に有効となる。  
【００６１】
ところで、上記接合部１３，１４は、支持体３を引き出すとき、係止片８の引き出しに伴わせて袋体２の前後の面２ａ，２ｂを引き離すために接合させるものである。そして、この引き離しによって前記袋体２の上縁部の接合部６が破られたとき、つまりこの接合による封止状態が破れ開口部５が開封されたときには、係止片７の更なる引き出しによってこれらの接合部は剥離され、袋体から係止片８及び吊設片７は離れることになる。
そのため、この接合部１３，１４は、開口部５を封止する接合部６より強固に接合し、上記係止片７による引っ張りにおいて接合部６の剥離より後から剥離するように相互間における接合強度に差が設けられる。
【００６２】
上記接合の関係について更に説明すると、この実施形態においては、図１に示したように上記接合部１３，１４を共に楕円形状に形成し、所定の接合面積を確保して前記線状に接合する接合部６より実質的に強固な接合が得られるようにしてある。これによって、上記係止片８の引っ張りの際には剥離が接合部６から始り、開口部５の開封が接合部１３，１４の剥離より先になるようにしてある。
【００６３】
尚、ここでは袋体２と支持体３の関係において前記吊設片７と係止片８の各上端部７ａ，８ａをそれぞれ接合部１３，１４を以て接合しているが、接合力の調整によってはいずれか一方であってもよい。例えば、直接的に引っ張り出す係止片８，８の上端部８ａ，８ａのみを接合して接合部１４，１４を設ける場合や、或は吊設片７の上端部７ａを接合して接合部１３のみとする場合がある。
【００６４】
この様にしてなる本発明の濾過器は、同種の濾過器と同様に、袋体２に予め被抽出物、ここてはコーヒー粉末を投入して開口部５を閉じ、この状態でアルミ製の包装袋等に収納して保管乃至運搬に供される。そして、使用する場合には、包装袋から取り出した後、袋体２の前後の面２ａ，２ｂに設ける支持体３，３を引き出し、コップ容器４に対するセット作業に掛かることになる。
この場合、前記従来の濾過器にあっては支持体の引き出しの前に、先ず袋体の開口部を開封する作業をし、その後セットのため支持体を引き伸ばす作業に入ることになるが、本発明の濾過器１にあっては、包装袋から取り出した後、そのまま前後の支持体３，３を引き出す作業から開始することになる。
【００６５】
図４〜図７の各図は、この使用時における作業の進行と、袋体２の開口部５の開封、及び支持体３，３の引き出しによる伸長状態を要部の拡大縦断側面図を以て説明したものであり、次に、実際の使用時の取扱いをこれらの図面に従って説明することにする。
【００６６】
図４は、未使用状態にある本発明の濾過器１を示している。この時点において袋体２は前後の面２ａ，２ｂの上縁部同士を接面させ、この縁部に沿って線状に接合部６を形成し、この上縁部間に形成される開口部５を封止している。このとき、袋体２の内部には所定量のコーヒー粉末が封入され、前後の支持体３，３は厚紙から切り出した偏平な状態にあって袋体２の両面に寄り添った状態にある。
【００６７】
次に、図５は、上記支持体３の係止片８の自由端となっている下端部８ａ、ここでは下端部８ａ，８ａ同士を繋ぐ摘み片９を前後方向に引き出し、支持体３，３の伸長作業に入ったところを示している。
この引き出しにおいて、係止片８は接合部１４，１４を以て袋体の前後の面２ａ，２ｂに接合されていることから、この接合部分を基点に前後の面４ａ，２ｂを引っ張って袋体の胴部を拡張することになる。このとき、前記接合部６にはこの引張り力が作用して緊張した状態が作られが、吊設片７は図示するように接合部１４及び接合部１３が接合状態にあることから袋体２の面２ａ，２ｂの表面に寄り添ったままにある。
【００６８】
図６は、上記引き出した係止片８の摘み片９を更に引き出して開口部５の接合部６を破り、開封させた状態を示す。
この開封によって開口部５は前後に大きく開き、同時に袋体２の胴部を更に拡張させることになる。この開封に当って前記接合部１４はまだ接着状態を剥離せず、従って係止片８は上端部８ａを面２ａ，２ｂに固定し、吊設片７はこの面に寄り添った状態にある。
【００６９】
次に、図７は、上記係止片８の引き出しが更に続けられる結果、上記開口部５の最大幅の開放状態を限界にしてこの開口部５の周縁が緊張するのを契機に、係止片８の接合部１４、そして吊設片７の接合部１３が袋体２の面２ａ，２ｂから剥離し、吊設片７の上端部７ａが引き起され、係止片８と共に伸長した状態を示している。
引き出された上記係止片８は、前述したように吊設片７の上端部７ａから折り返すように延設したものであるから、接合部１４，１３を剥離した後に引き出しを緩めると、この図に示したように上端部８ａを上にして垂直状に下がってカップ容器４の縁に掛け止めが可能になる。
尚、図面において符号６ａ及び１３ａ，１４ａはそれぞれ接合部の跡を示したものである。６ａについては線状を誇張して示している。
【００７０】
ここで、上記開口部５が開放された後、更に係止片８が引き出されてその上端部８ａが接合部１４を介して袋体の上縁部分に引き離し方向の力が作用したとき、この力はこの実施態様では、上記上縁部分に沿って止着した前記補強片１２の上片部分１２ａに伝達されることになり、これによって上片部分１２ａの全体に分散して開口部５の中央部分の一定の範囲に亘って開封が開始されることになる。そして同時に、上片部分１２ａが横幅を確保することから開口部５の前後の開口幅が制約されることになり、支持体３の必要以上の伸張が抑えられることになる。
【００７１】
図３は、上記の操作を通して濾過器１をカップ容器４に対してセット可能な状態に展開した姿を示している。この状態では、袋体２は胴部の拡張と共に、補強片１２の上片部分１２ａに形成する折り曲げ腺１５，１５で折り曲げ、偏平な前後の面２ａ，２ｂをこの上片部分１２ａで断面コの字形にして袋体２の胴部を矩形の筒型にすることになる。そして、この折れ曲がりによって側片部分１２ｂ，１２ｂを胴部の拡張した側面に添わせ、胴部の拡張状態を支えることになる。
【００７２】
従って、本発明の濾過器によれば、その使用において前後の支持体３の係止片８を引き出すと、この引き伸ばしを通して袋体２の開口部５の開放が同時に行われることになり、より簡単に取り扱うことができ、またカップ容器に対しての迅速なセットが可能となる。
そして更に、支持体３の引き出しによって最初に袋体の開口部５が開放することから無理に支持体を引っ張ることが避けられ、従って引き千切られるようなことが未然に防止されることになる。
【００７３】
この支持体の引き出しによってカップに対するセットを行うタイプの濾過器は、前述したように、使用者において、支持体の引き出しによって全てのセット作業ができるものとの思い込みから、開口部を開放するため強く引き出し、これによって支持体を無理に強く引き出してこれを切断したり、袋体を破ったりすることがあったが、本発明の濾過器は支持体の引き出しによって開口部が開放されることから、更に強く引き出すようなことがなく、従ってこの様なことを原因にして損傷することがなく、未然に防止することができるものとなる。
【００７４】
次に、図９は、袋体２の上部に形成する開口部５の他の実施形態を示す要部の正面図である。
ここに示す濾過器１は、フィルタ製の袋体２を前記同様に前後の面２ａ，２ｂによって縦長の袋に形成しすると共に、上記２面の左右並びに下縁部を閉じて袋に形成し、その内部に被抽出物を投入した後、上縁部相互を貼り合せて封止するものであり、その一方、この閉じた上縁部に沿って全幅に亘りミシン線からなる切り分け部１６を形成して開封時にこの切り分け部１６を破断し、開口部５を開放するようにした場合である。
【００７５】
この例は、開口部５の封止を接合部６によって行う前記の実施態様に対して、この接合部６を切り分け部１６に代えたものである。従って、支持体３を引き伸ばしたとき第１次的にこの切り分け部１６が前後の面２ａ，２ｂの緊張によって引き裂かれ、開口部５が開放することになる。このため上記切り分け部１６は切り込みの部分を大きくして接続部分が係止片８の引っ張りによって容易に切断されるようにしてある。
尚、上記きり分け部１６は、前後の面２ａ，２ｂの両方に形成しても、また一方であっても良い。  
【００７６】
また、図１０は、袋体２を形成する素材のフィルタにつき、外面側と内面側の接着強度が異なる二層構造の合成樹脂製フィルタを素材にしてこの接着強度の違いによって前記開口部５を閉じる接合部６と、支持体３の吊設片７、係止片８の各上端部７ａ，８ａと袋体２の接合部１３，１４との接合力に差を設けた例であり、これによって係止片８の引き伸ばし時に両者の剥離に時間差を設け、第１次的に開口部５の接合部６が剥離し、第２次的に支持体３と袋体２の接合部１３，１４が剥離するようにしたものである。
【００７７】
ここでは、前記袋体２を形成するフィルタの素材としてヒートシールが可能な合成樹脂製フィルタＦにすると共に、フィルタの外面側Ｆ１が強接着性に、また内面側Ｆ２が弱接着性になる二層構造のフィルタを選択して高周波等による接合手段を用いての接着に当って、開口部５の接合について弱接着性の内面側Ｆ２，Ｆ２同士の接合にして、これにより剥離性をよくし、開口部５の開封を容易にする一方、強接着性の外面側Ｆ１と支持体の吊設片７及び係止片８の上端部７ａ，８ａとを接合して開口部５の開口後に剥離するようにしてある。
【００７８】
この二層構造のフィルタＦについては、素材の選択は自由であり特定されるものではないが、例えば、外面側Ｆ１になる強接着性のフィルタ層としてポリプロピレン層を、そして内面側Ｆ２の弱接着性のフィルタ層としてポリエステル層を配置してこの両層を一体にする二層構造のフィルタとすることができる。
【００７９】
以上実施の形態に基づき本発明濾過器を説明したが、開口部５を封止する接合部６については、袋体の上縁部に沿って線状に接合する場合の他、破線状に接合するものであってもよい。要するに、ここでは開口部５を閉じて封入する被抽出物の零れ出しが防げることと、開封時には小さな引っ張り力で破られるものであればよく、この様な範囲で自由に選択することができる。
【００８０】
また、この接合部６に対して吊設片７及び係止片８の上端部７ａ，８ａと袋体２との接合部１３，１４は、係止片８の引き出しに際してこの両接合部に対して直接的に引き出しの力が作用する様に、できるだけ近接して設けられることが望ましく、従って好ましくは接合部６と接合部１３，１４とが袋体２のフィルタを挟んで内外一致する位置に設けるようにするとよい。
【００８１】
以上、本発明の濾過器をコーヒーの濾過器について説明したが、この濾過器は被抽出物としてコーヒーが選択される他、紅茶や緑茶などの茶葉や、だし等の濾過器としても利用することができることは言うまでもなく、これらは本発明の実施の対象である。
【符号の説明】
【００８２】
１            本発明に係る簡易型濾過器
２            袋体
２ａ，２ｂ    袋体を形成する前後の面
３            支持体
４            容器となるコーヒーカップ
５            袋体の上部に形成される開口部
６            袋体の開口部を封止する接合部
７            支持体の吊設片
７ａ          吊設片の上端部
７ｂ          吊設片の下端部
８            支持体の係止片
８ａ          係止片の上端部
８ｂ          係止片の下端部
９            摘み片
１０          固定補助片  
１２          補強片
１２ａ        補強片の上片部分
１２ｂ        補強片の側片部分
１３          吊設片の上端部と袋体の前後の面との接合部
１４          係止片の上端部と袋体の前後の面との接合部
１５          補強片の折れ曲げ線
１６          切り分け部
【図１】
0005775355.tif 000002
【図２】
0005775355.tif 000003
【図３】
0005775355.tif 000004
【図４】
0005775355.tif 000005
【図５】
0005775355.tif 000006
【図６】
0005775355.tif 000007
【図７】
0005775355.tif 000008
【図８】
0005775355.tif 000009
【図９】
0005775355.tif 000010
【図１０】
0005775355.tif 000011